(57)【要約】　　　（修正有）【課題】外側バネ部と内側バネ部を略螺旋状に一体成型した圧縮バネを各々の分割上ピンに関係させてバネ応力を掛けることにより、不正解鍵阻止機能を持たせた単一ピンないし多重素子ピン型シリンダー鍵を提供する。【解決手段】ピンを用いたシリンダー錠の上ピンにあって、円柱型の垂直軸方向に断面を持つように複数に分割された構造を備えるとともに、分割された各々の上ピンが各々の分割面で接触しながら別々に摺動可能に配置され、内筒プラグ内に配置された下ピンに接触させてそれぞれ別々にバネ応力を掛けるようにしたものである。また、本発明に係る圧縮バネは、内側と外側にそれぞれ配置された径の異なる内側端部と外側端部を備え、かつ、外側端部から折返し部まで一方向に外側バネ部を、そして折返し部から内側端部までは元の方向に次第に半径が小となるよう内側バネ部を略螺旋状に一体成型してなるものである。【選択図】　　　図１２
2004108062.tif 000002
【特許請求の範囲】
【請求項１】
ピンを用いたシリンダー錠の上ピンにあって、円柱型の垂直軸方向に断面を持つように複数に分割された構造を備えるとともに、分割された各々の上ピンが各々の分割面で接触しながら別々に摺動可能に配置され、内筒プラグ内に配置された下ピンに接触させてそれぞれ別々にバネ応力を掛けるようにしたことにより不正解錠を困難にする上ピン機能を有することを特徴とする機能性分割上ピンを用いたシリンダー錠。
【請求項２】
多重素子ピンを用いたシリンダー錠の上ピンにあって、円柱型の垂直軸方向に断面を持つように複数に分割された構造を備えるとともに、分割された各々の上ピンが各々の分割面で接触しながら別々に摺動可能に配置され、内筒に配置された多重素子ピンの各々に接触させてそれぞれ別々にバネ応力を掛けるようにしたことにより不正解錠を困難にする上ピン機能を有することを特徴とする特許請求の範囲第１項に記載の機能性分割上ピンを用いたシリンダー錠。
【請求項３】
二重素子ピンを用いたシリンダー錠の上ピンにあって、円柱型の垂直軸方向に断面を持つように二分割された構造を備えるとともに、二分割された各々の上ピンが各々の分割面で接触しながら別々に摺動可能に外筒内に配置され、両片ともに内筒に配置された二重素子ピンの両方に接触させてバネ応力を掛けるようにしたことを特徴とする特許請求の範囲第１項に記載の機能性分割上ピンを用いたシリンダー錠。
【請求項４】
二重素子ピンを用いたシリンダー錠の上ピンにあって、円柱型の垂直軸方向に断面を持つように二分割された構造を備えるとともに、二分割された上ピンが各々の分割面で接触しながら別々に摺動可能に外筒内に配置され、一片が内筒に配置された二重素子ピンの両方に接触し、他の一片が内筒に配置された二重素子ピンの片方のみに接触させてバネ応力を掛けるようにしたことを特徴とする特許請求の範囲第１項ないし第２項に記載の機能性分割上ピンを用いたシリンダー錠。
【請求項５】
多重素子ピンを用いたシリンダー錠の分割上ピンにあって、内側と外側にそれぞれ配置された径の異なる内側端部と外側端部を備えるとともに、外側端部から折返し部まで一方向に外側バネ部を、そして折返し部から内側端部までは元の方向に次第に半径が小となるよう内側バネ部を略螺旋状に一体成型してなる圧縮バネを、外側端部は分割上ピンの一方に、内側端部は分割上ピンの他方に関係させてそれぞれ別々にバネ応力を掛けるようにしたことを特徴とするシリンダー錠。
【請求項６】
内側と外側にそれぞれ配置された径の異なる内側端部と外側端部を備え、かつ、外側端部から折返し部まで一方向に外側バネ部を、そして折返し部から内側端部までは元の方向に次第に半径が小となるよう内側バネ部を略螺旋状に一体成型してなる圧縮バネ。
【請求項７】
内側と外側にそれぞれ配置された径の異なる内側端部と外側端部を備え、かつ、外側端部から折返し部まで一方向に外側バネ部を、そして折返し部から内側端部までは元の方向に次第に半径が小となるよう内側バネ部を略螺旋状に一体成型し、外側端部および内側端部をそれぞれ異なる部材に関係させて別々にバネ応力を掛けるようにしたことを特徴とする圧縮バネ。
【発明の詳細な説明】
【０００１】
【発明の属する技術分野】
本発明は、ピンを用いたシリンダー錠において、上ピンを垂直軸で分割することによって、下ピンにバネ応力を掛ける構造を持つとともに、垂直軸で摺動するため、不正解錠の際に別々に動くことによって不正解錠を困難にする機能を持たせた分割型上ピンと上ピンを構成する分割型上ピンに、それぞれ別々にバネ応力を掛けることが可能に一体成型されたバネを使用した機能性分割上ピンを用いたシリンダー錠に関するものである。
【０００２】
【従来の技術】
通常、シリンダー錠の多重素子ピン型上ピンは、外殻上ピンと中核上ピンとが組合せられるとともに、例えば特許第２６５６８４４号公報に記載されるように、外殻上ピンおよび中核上ピンには、それぞれに対応するバネが個別に配置されている。
しかしながら、外殻上ピンおよび中核上ピンにそれぞれ別々にバネを配置するため、部品の数が多くなる上に構造が複雑化し、故障の原因ともなり耐久性などの問題があったものである。
また、従来の多重素子ピン型上ピンは、単に多重素子ピン型下ピンに係合するように配置されたものであり、それ自体にピッキングなどの不正解錠を困難にする機能はなく、ピッキングなどの不正解錠が容易に行われてしまうケースもあった。
一方、単一ピンを使用したシリンダー錠の上ピンは、通称マッシュルーム型上ピンに代表されるような輪郭形状を工夫することによって耐ピッキング性能を持たせたものは既に公知であり多数実用化されている。しかしながら、すべてのものが軸を中心にシンメトリー（対称）型となっており、ある程度熟練すれば、ピッキングの感触が慣れてしまい、不正解錠が行われてしまうという弱点があった。
【０００３】
【発明が解決しようとする課題】
本発明は、上記した実状に鑑みてなされたもので、ピンを用いたシリンダー錠の円柱型の上ピンにおいて、軸方向に分割断面を有する分割ピンが各々の断面を接しながら摺動可能に配置され、上ピンの構成を複雑にせず、しかも１本のバネで該分割上ピンにバネ圧を掛けることによって、係る内筒に配設された単一ピンないし多重素子下ピンにバネ圧がかかるよう設計されたものである。また、該分割上ピンは、少なくとも２分割以上に分割されており、その形状は、軸を中心に対称型である必要がなく、各々が異なった形状（アシメトリー形状）を持つことによって、係合する下ピンに対して異なった作用を及ぼす。
さらに、不正解錠によって、内筒に回転応力が掛けられた場合、シャーラインに位置する分割上ピンの部位によって、分割上ピンの各々が別々に複雑な動きをするため解錠工具に伝わる感触は非常に難解なものになる。この分割上ピンは、鍵（キー）の抜き指しの際の下ピンのピストン運動によって、軸を中心に自由回転して常に一定の部位がシャーラインの外筒と内筒の内壁と接触しているものではないため、感触でその上ピンの形状や部位を予測することは不可能となる。
特に、本発明は、これまで不正解錠を阻止する特別な機能を持たせることができなかった多重素子ピン用の上ピンに、構造を複雑にすることなく優れた不正解錠阻止機能を持たせ、これまでにない防犯性能を持った単一ピンないし多重素子ピン型シリンダーを提供することを目的とするものである。
一方、一体成型されたバネを使用した多重素子ピン型上ピンにおいては、一体成型された圧縮バネを各々の分割上ピンに関係させてバネ応力を掛けるようにすることにより、部品を少なくして構成を簡素化でき、しかも取り扱いも容易である、シリンダー錠の多重素子ピン型上ピンを提供することをその目的とするものである。
また、本発明は、内側と外側にそれぞれ配置された径の異なる内側端部と外側端部を備え、かつ、外側端部から折返し部まで一方向に外側バネ部を、そして折返し部から内側端部までは元の方向に次第に半径が小となるよう内側バネ部を略螺旋状に一体成型することにより、部品を少なくして構成を簡素化でき、しかも取り扱いも容易で多用途に適用できる圧縮バネを提供することをその目的とするものである。
さらに、本発明は、内側と外側にそれぞれ配置された径の異なる内側端部と外側端部を備え、かつ、外側端部から折返し部まで一方向に外側バネ部を、そして折返し部から内側端部までは元の方向に次第に半径が小となるよう内側バネ部を略螺旋状に一体成型し、外側端部および内側端部をそれぞれ異なる部材に関係させて別々にバネ応力を掛けるようにした圧縮バネを提供することをその目的とするものである。
【０００４】
【問題を解決するための手段】
本発明に係るシリンダー錠の上ピンは、単一ピンないし多重素子ピンを用いたシリンダー錠の上ピンにあって、円柱型の上ピンにおいて、ｙ軸（回転軸）方向に分割断面を有する分割ピンが各々の断面を接しながら摺動可能に配置され、上ピンの構成を複雑にせず、しかも１本のバネで該分割上ピンにバネ圧を掛けることによって、係る内筒に配設された単一ピンないし多重素子下ピンにバネ圧がかかるよう設計されたものである。また、少なくとも２分割以上に分割された分割上ピンは、その各々が異なった形状を持つことによって、係合する下ピンに対して異なった作用を及ぼす。さらに、不正解錠によって、内筒に回転応力が掛けられた場合、シャーラインに位置する分割上ピンの部位によって、分割上ピンの各々が別々に複雑な動きをするため解錠工具に伝わる感触を非常に難解なものにしている。
特に、本発明は、これまで不正解錠を阻止する特別な構造や機能を持たせることができなかった多重素子ピン用の上ピンにおいて、構造を複雑にすることなく、耐久性に優れた仕組みと、不正解錠阻止機能の両方を兼ね備え、これまでにない防犯性能を持たせるようにしたものである。
また、本発明に係る圧縮バネは、内側と外側にそれぞれ配置された径の異なる内側端部と外側端部を備え、かつ、外側端部から折返し部まで一方向に、そして折返し部から内側端部までは元の方向に次第に半径が小となるよう略螺旋状に一体成型してなる圧縮バネを、外側端部と内側端部を各々の分割上ピンに関係させてそれぞれ別々にバネ応力を掛けるようにしたものである。
【０００５】
【作用】
以下、本発明に係るシリンダー錠の機能性分割上ピンの作用について説明する。
ピンを用いたシリンダー錠の円柱型の上ピンにあって、軸方向に分割断面を有する分割上ピンが各々の断面を接しながら摺動可能に配置され、１本のバネで該分割上ピンにバネ圧を掛けることによって、係る内筒に配設された単一ピンないし多重素子下ピンにバネ圧がかかるよう設計されている。また、該分割上ピンは、少なくとも２分割以上に分割されており、その各々が軸を中心に対称型もしくは非対象型の形状を有する。特に、非対象型の形状を組合せることによって、係合する下ピンに対して異なった作用を及ぼす。不正解錠の際にテンションを掛けて内筒に回転応力が加わった場合、シャーラインに位置する分割上ピンは外筒及び内筒に跨がっているため、外筒および内筒内壁に接する部位によって、分割上ピンの各々が別々に複雑な動きをし、解錠工具に伝わる感触は非常に難解なものになる。また、テンションの掛り方によって、片方の分割上ピンを動かすと、もう一方の分割上ピンが別の動きをするため、両方の分割上ピンを同時にシャーラインに揃えることが非常に困難になる。さらに、該分割上ピンは、鍵（キー）の抜き指しの際の、下ピンの上下（ピストン）運動によって不規則に回転し、常に一定の部位がシャーラインの外筒と内筒の内壁と接触しているものではないため、シャーラインに位置する分割上ピンがどの形状の分割上ピンであるか、またそのどの部位がかかっているかを予測することは困難であり、ピッキング感覚をさらに困難にすることができる。しかも慣れがきかないため熟練者であっても不正解錠を行うことが困難となる。
特に、本発明は、これまで不正解錠を阻止する特別な機能を持たせることができなかった多重素子ピン用の上ピンに、パーツを増やしたり、構造を複雑にすることなく優れた不正解錠阻止機能を持たせた、これまでにない防犯性能を持った多重素子ピン型シリンダーを提供できる。
さらに、機能性分割上ピンを用いたシリンダー錠の圧縮バネにあって、圧縮バネの折返し部は外筒側に固定し、外側端部と内側端部を各々の分割上ピンに関係させることにより、分割上ピンの動きに合せて各々の分割上ピンにバネ応力が掛かることになる。
さらにまた当該分割上ピンのもうひとつ効果として、無理なピッキング操作や、電動ピックなどの電動工具を使用した場合など、その衝撃によって分割上ピン自体が相対する分割ピンの摺動面を離れて分解し、修復不可能な状態となり不正解錠が困難となり、不正解上の証拠が残ることになる。
また、本発明に係る圧縮バネによれば、内側と外側にそれぞれ配置された径の異なる内側端部と外側端部を備え、かつ、外側端部から折返し部まで一方向に外側バネ部を、そして折返し部から内側端部までは元の方向に次第に半径が小となるよう内側バネ部を略螺旋状に一体成型したから、例えば、シリンダー錠の多分割上ピンのごとき異なる部材に関係させてそれぞれ別々にバネ応力を掛けられることとなる。
【０００６】
【実施例１】
以下、本発明のシリンダー錠の機能性分割上ピンについて、実施例に基づき説明する。以下の例では、二重素子下ピンに適用するための、上ピンを２分割にした例を挙げるが、機能的には３分割以上であっても良く、多重素子下ピンの数に合った分割数が望ましい。
本発明に係る機能性分割上ピンを２分割にした場合の一態様を図とともに説明する。図１ないし図４は２分割にした片方の分割上ピン１を示し、図５ないし図８はそれと対をなすもう一方の分割上ピン８を示す。図１は分割上ピン１の上面図、図２は分割上ピン１の正面図、図３は分割上ピン１のＡ−Ａ’線断面図、図４は分割上ピン１の斜視図である。また、図５は分割上ピン８の上面図、図６は分割上ピン８の正面図、図７は分割上ピン８のＢ−Ｂ’線断面図、図８は分割上ピン８の斜視図である。図９は分割上ピン１と分割上ピン８の各々の断面を接するように対にした状態、すなわち上ピンとして機能させるために組合せた時の上面図、図１０は組合せた状態の正面図を示す。このように分割上ピン１と分割上ピン８は一対にして上ピンとして使用する。図１１は、内筒プラグ１５の各ピン穴に下ピン（図示していない）を入れた後、その上に該分割上ピンを配列させた時の様子を上面から見た様子を示す。分割上ピン１及び分割上ピン８の各々の上面部４及び１２は、斜面とすることにより分割上ピン１と分割上ピン８が上下ずれた際に上ピンバネ２３が各々の上面部４及び１２に架かるようにしている。該上面部は必ずしも斜面である必要はなく、図２６に示すごとく、水平面４’、１２’を形成していても良い。また、分割上ピン１の側面に形成された５凸部５及び６、分割上ピン８の５側面に形成された５凸部１３及び１４は、ピッキングなどの不正解錠の際にシャーラインの位置で外筒のピン穴の先端に引っかかる形状となっており、各々の側面の凹部２及び９との段差ならびに幅とその形状に関しては任意の大きさで良く、また分割上ピン１と分割上ピン８が対称型でなくても良い。さらに、分割上ピン１及び分割上ピン８の材質は、超硬の材質が望ましいが、一方を超硬にしてもう一方を真鍮などの硬さの異なる材質と組合せることにより、ドリル侵入の際に、ドリル刃が弱い材質側に避け、真直ぐにドリルを侵入させ難くすることも可能である。
分割上ピン１の突起３は、それと組み合わされる二重素子の下ピンの内側下ピンと、また凸部６の底辺で外側下ピンの両方にバネ圧を付加するが、もう一方の分割上ピン８は、外側下ピンにのみバネ圧を架ける。不正解錠などの際に、ピックなどで内側下ピンだけを持ち上げた場合には、分割上ピン１だけが持ち上げられ、外側下ピンだけを持ち上げた場合には、両方の分割上ピンが持ち上げられる構造となっている。
分割上ピン１と分割上ピン８は、常に対の状態で１組みの多重素子の下ピンと共に用いられ、内筒および外筒内の各ピン穴に納められる。実際のシリンダー内における状況としては、分割上ピン１及び分割上ピン８の位置は固定されておらず、カギの抜き差しの繰返しによって、ピンが上下する運動によって、分割上ピン１及び分割上ピン８で形成される分割上ピンも、不規則に自由回転する。その結果、図１１にみられるように、内筒の各ピン穴（１６ａないし１６ｅ）にランダムに位置されている。この状態で、不正解錠を行おうと、テンションをかけてピックすると、どちらの分割上ピンにテンションがかかっているか判断することは困難で、テンションのかかるポイントも分割上ピンのどの位置か感覚で判断することは不可能となる。従って、ピッキングなどの不正解錠に対して、公知の上ピン（特許第２６５６８４４号公報）とは比較にならないほど耐ピッキング性能が向上し、また構造が単純なので、公知の上ピンで多発しているようなトラブルは起き得ない。
図１２は、分割上ピン１と分割上ピン８を組合せて、実際に上ピンとして使用し、内筒１５を図１１のＣ−Ｃ’線で断面を見た場合の、外筒２１を含むシリンダー錠の全体の断面図を示す。二重素子の外側下ピン２５と内側下ピン２６の一対が分割上ピン１と分割上ピン８から成る上ピンを介してバネ２３のバネ圧を受けて内筒のキー挿入孔２４の底辺まで降りている。上ピンは外筒２１内のピン穴２２内を下ピンの上下運動に合せて摺動できる空間をバネ２３と共有している。図１２に示した下ピンの組合せによれば、外側下ピン２５の長さよりも、内側下ピンの長さの方が短いピンを使用しているため、分割上ピン１と分割上ピン８から成る上ピンは、分割上ピン１の方が、外側下ピンの穴に落ち込んだ状態となっている。そのため、図１０に示すフラットな状態に比べると、分割上ピン１の方が分割上ピン８よりも下がっており、バネ２３の下端は、このずれに合せて斜めになりながらも両方のピンにバネ圧を掛けている状態を示している。この時、上ピンの位置は、シャーライン２８の中間に位置し内筒１５の回転を止めている。
つまり、この状態が、キーを挿入しない定常状態を示している。
図１３は、該シリンダー錠の純正キー２７を挿入したときの各ピンの動きを示した断面図である。純正キー２７の溝に合せて、外側下ピン２５、内側下ピン２６の各々が、持ち上がり、分割上ピン１と分割上ピン８から成る上ピンも外筒内に押し上げられ、シャーライン２８が揃って、図１４に示すごとく内筒１５が回転可能になる。
図１５は、不正解錠を試みるため、内筒１５にテンションを掛けた状態を示した断面図である（テンションを掛けるための工具は図示していない）。図に示すごとく、反時計回りにテンションを掛けると、内筒１５のピン穴１６ａと外筒２１内のピン穴２２を跨いで存在する分割上ピン１と分割上ピン８から成る上ピンが、それぞれのピン穴口径との遊び（隙間）分ずれた後、各ピン穴内壁と上ピンが接して内筒１５の回転を阻止する状態で止まる。その結果、分割上ピン１と分割上ピン８から成る上ピンは、若干傾いた状態で挟まり固定される。この時、分割上ピンは、外筒２１のピン穴２２の端部２９が分割上ピン８の凹部９と接している。
次に、図１６に示すごとく、ピック工具（図示していない）などで外側下ピン２５をシャーラインに揃えようと上に押し上げると、分割上ピン８の下部が部げるとＣ’線で８から成る上ピンは、若干傾いた状態で挟まり、凸部６が外筒ピン穴２２の端部２９に引っかかり、それ以上押し上げられない状態となる。
そこで、テンションを緩めて端部２９との引っかかりを回避するためには、図１７に示すごとく内筒を元の状態に近い角度まで戻す必要があり、仮に図１１に示すごとく、ピン穴が５本（５列）ある場合には、他のピンがシャーラインで揃っていた場合、上ピンが内筒内に落ち込んでしまい、元の状態に戻ってピッキングに失敗する。
最初の１本目の場合であれば、さらにこの状態でピッキングが継続される。図１７の状態で分割上ピン８が外筒ピン穴２２に押し上げられた後でも、分割上ピン１の方は、まだシャーラインを跨いで存在するため、内側下ピン２６を押し上げて、それと連動する分割上ピン１を上に押し上げる必要がる。その際も、分割上ピン１と分割上ピン８は若干のテンションが掛かっているため、お互いが一対の状態で存在しているが、分割上ピン１だけを押し上げるためには、微妙にテンションを緩める必要がある。この際、分割上ピン１を上に摺動させると同時に分割上ピン８の方が、テンションが緩まって再び内筒内に落ち込むことになり、再びピッキングに失敗する（図１８）。
そこで、再度分割上ピン８を持ち上げるには、図１９に示すごとく内筒１５に再びテンションを掛ける必要がある。テンションが弱いと図１９のごとく分割上ピン１も下がってしまい、テンションを強く掛け過ぎると、図２０に示すごとく分割上ピン８の凸部６がピン穴の端部２９に引っかかり、再び押し上げが不可能になる。従って、この一連の操作をピン穴毎に繰返すことになり、その間に既にシャラーンの揃った他のピン（１６ｂないし１６ｅ内のピン）が落ちてしまうなど、ピッキングが非常に困難な状況になる。
また、図２１のごとくテンションを掛けて内側下ピン２６を必要以上に持ち上げて分割上ピン１を押し上げ過ぎてしまった場合や、電動ピックなどの工具を用いた不正解錠の場合など、無理な衝撃を加えた場合、図２２ないし図２５に示すごとく分割上ピン１が分割上ピン８を乗り上げて分解してしまい、二度と元の対状態には戻らなくなる。その結果、図２５に示すごとく両方の分割上ピンが横転した状態となり、テンションがかかる位置では下ピンが上がらなくなり、ピッキングが不可能となる。特に、図２２ないし図２５の場合のように、内側下ピン２６’’が、外側下ピン２５の長さよりも長い組合せの時に起こりやすい。
さて、本発明に係る機能性分割上ピンを２分割にした場合の別の一態様を図とともに説明する。図２７ないし図３０は２分割にした片方の分割上ピン３０を示し、図３１ないし図３５はそれと対をなすもう一方の分割上ピン３８を示す。図２７は分割上ピン３０の上面図、図２８は分割上ピン３０の正面図、図２９は分割上ピン１のＡ−Ａ’線断面図、図３０は分割上ピン３０の斜視図である。また、図３１は分割上ピン３８の上面図、図３２は分割上ピン３８の正面図、図３３は分割上ピン３８のＢ−Ｂ’線断面図、図３４は分割上ピン３８の斜視図である。図３５は分割上ピン３０と分割上ピン３８の各々の断面を接するように対にした状態、すなわち上ピンとして機能させるために組合せた時の上面図、図３６は組合せた状態の断面図を示す。このように分割上ピン３０と分割上ピン３８は一対にして上ピンとして使用する。分割上ピン３０及び分割上ピン３８の各々の上面部３３及び４２は、斜面とすることにより分割上ピン３０と分割上ピン３８が上下ずれた際に上ピンバネが各々の上面部３３及び４２に架かるようにしている。該上面部は必ずしも斜面である必要はなく水平面を形成していても良い。また、分割上ピン３３の５凸部３５及び３６、分割上ピン３８の５凸部４３及び４４は、ピッキングなどの不正解錠の際にシャーラインの位置で外筒のピン穴の先端に引っかかる形状となっており、各々の側面凹部３１及び３９との段差ならびに幅とその形状に関しては任意の大きさで良く、また分割上ピン３０と分割上ピン３８が対称型でなくても良い。さらに、分割上ピン３０及び分割上ピン３８の材質は、超硬の材質が望ましいが、一方を超硬にしてもう一方を真鍮などの硬さの異なる材質と組合せることにより、ドリル侵入の際に、ドリル刃が弱い材質側に避け、真直ぐにドリルを侵入させ難くすることも可能である。
分割上ピン３０の底辺の突起３４は、それと組み合わされる二重素子の下ピンの内側下ピンと、また凸部３６の底辺で外側下ピンの両方にバネ圧を付加するが、もう一方の分割上ピン３８は凹部４０を有するので、内側下ピンはこの空孔内に入るため、外側下ピンにのみバネ圧を架けることになる。不正解錠などの際に、ピックなどで内側下ピンだけを持ち上げた場合には、分割上ピン３０だけが持ち上げられ、外側下ピンだけを持ち上げた場合には、両方の分割上ピンが持ち上げられる構造となっている。
分割上ピンの形状は異なるものの、分割上ピン１と８、３０と３８の組合せの上ピンなどは、図３７ないし図３９に示すごとく、二重素子ピンで形成される特徴的な３つのパターンの全てにおいて二重素子ピンの機能を完全に付与することができる。すなわち、図３７のごとく二重素子ピンの各々の長さが同一で上部がフラットな場合、図３８に示すごとく外側下ピンの方が内側下ピンよりも長い場合、あるいは図３９のごとく外側下ピンの方が内側下ピンよりも短い場合のそれぞれのケースで分割上ピンは各々の二重素子下ピンとフィットし、常に両方の下ピンにバネ圧を架けた状態を維持できることになる。当然のことながら、各々の下ピンの動きに連動して分割上ピンの各々も上下に摺動する。
このように、本発明に係る機能性分割上ピンを２分割にした場合、その態様は上記の他にも様々考えられ、さらに別の一態様を図とともに説明するならば、図４０ないし図４４に示した二分割上ピンも可能である。これらの上ピンは、上記の分割上ピン３０と３８の別態様であるが、基本構造はそれらに準ずる。分割上ピン５０は、相対する分割上ピン５８との摺動面に突起５４を有し、この突起５４の形状で底辺５７の一部を形成している。一方、分割上ピン５８は、突起５４を受ける形状の凹部６０を有し、これらの箇所が分割上ピン３０及び３８と異なる。このような突起５４を設けることにより、一対にした際に左右にズレることがなく、分割上ピン３０と３８の組合せよりも、シリンダーを組立てる際に作業がし易くなる。
同様のことが、分割上ピン７０と７７の場合にいえる。図４５ないし図５２は、分割上ピン１と８の組合せを変形した上ピンの別態様を示す。分割上ピン７０の突起７３は、相対する分割上ピン７７の凹部分７９内を摺動することによって、上ピンの機能を果たす。ここで、前述の分割上ピン１と８の組合せと異なる点は、突起７３が凹部分７９内に嵌まり込んで左右のズレが無くなることで、上下にしか動かないため取り扱いがし易い点にある。
さて、本発明に係る機能性分割上ピンは、多重素子下ピンの上ピンに耐ピッキング性能を持たせるばかりでなく、通常のシングル（単一）の下ピンに対する上ピンとして使用することでも、従来のシングル型の上ピンには無い耐ピッキング性能が発揮できる点が勝れている。
図５３は、分割上ピン１と８をシングルの下ピン８４と組合せた場合のシリンダー断面図を示す。定常状態では、下ピン形状が異なるだけで図１２に示した状態と全く同じ状態を維持している。不正解錠の際に、テンションを掛けると、内筒１５が動いて分割上ピン１ならびに８が挟まった状態で止まる。この状態で、ピックを用いて下ピン８４を持ち上げようとすると、分割上ピン８の凸部１４がピン穴の端部２９に引っかかり、それ以上は上に持ち上げられない状態になる（図５４）。これを回避するため、テンションを緩めようとすると、図５５のごとく、分割上ピン１の方が下がって来てしまい、この繰返しによってピッキングによってシャーラインを揃えることが非常に困難となり、従来のシングル型の上ピンに比べ飛躍的に耐ピッキング性能が向上する。
【０００７】
【実施例２】
以下、本発明のシリンダー錠の機能性分割上ピンに用いる圧縮バネついて、実施例に基づき説明する。
本発明に係る機能性分割上ピンを２分割にした場合の上ピンに用いる圧縮バネの一態様を図とともに説明する。
図５６は圧縮バネの正面図、図５７は圧縮バネの平面図、図５８は圧縮バネのＡ−Ａ’線断面図、図５９は外側端部を分割上ピン８に関係させた説明図、そして図６０は内側端部を分割上ピン１に関係させた説明図である。図６１は本発明に係るシリンダー錠の機能性分割上ピンと圧縮バネが適用されたシリンダー錠の一部を示す断面図である。
図において、本発明に係るシリンダー錠の分割上ピン対は、使用する圧縮バネ９０の構成を、内側と外側にそれぞれ配置された径の異なる内側端部９０ａと外側端部９０ｂを備えるとともに、外側端部９０ｂから折返し部９０ｃまで一方向に外側バネ部９０ｄを、そして折返し部９０ｃから内側端部９０ａまでは元の方向に次第に半径が小となるよう内側バネ部９０ｅを略螺旋状に一体成型し、折返し部９０ｃは外筒２１の上部側（外筒ピン穴蓋２０）に接し、図５９に示されるように、外側端部９０ｂは分割上ピン８に、また図６０に示されるように、内側端部は分割上ピン１に関係させてそれぞれ別々にバネ応力を掛けるようにしている。
また、本発明に係る圧縮バネは、内側と外側にそれぞれ配置された径の異なる内側端部と外側端部を備え、かつ、外側端部から折返し部まで一方向に、そして折返し部から内側端部までは元の方向に次第に半径が小となるよう略螺旋状に一体成型されたものである。
さらに、本発明に係る圧縮バネは、内側と外側にそれぞれ配置された径の異なる内側端部と外側端部を備え、かつ、外側端部から折返し部まで一方向に、そして折返し部から内側端部までは元の方向に次第に半径が小となるよう略螺旋状に一体成型され、外側端部と内側端部のそれぞれに異なる部材に関係させてそれぞれ別々にバネ応力を掛けるようにしたものである。
尚、上記実施例においては、本発明に係る圧縮バネをシリンダー錠の分割上ピン１および分割上ピン８に適用したが、その他の多重素子ピンであっても無論よいし、本発明に係る圧縮バネは、その他異なる部材に関係させてそれぞれ別々にバネ応力を掛ける必要がある場合などに広く適用できるものである。
【０００８】
【発明の効果】
以上の説明から明らかなように、本発明に係るシリンダー錠の機能性分割上ピンは、ピンを用いたシリンダー錠の円柱型の上ピンにあって、軸方向に分割断面を有する分割上ピンが各々の断面を接しながら摺動可能に配置され、１本のバネで該分割上ピンにバネ圧を掛けることによって、係る内筒に配設された単一ピンないし多重素子下ピンにバネ圧がかかるよう設計されている。また、該分割上ピンは、少なくとも２分割以上に分割されており、その各々が軸を中心に対称型である必要がなく、異なった形状を持たせることによって、係合する下ピンに対して異なった作用を及ぼすから、不正解錠の際にテンションを掛けて内筒に回転応力が加わった場合、外筒および内筒内壁に接する部位によって、分割上ピンの各々が別々に複雑な動きをし、解錠工具に伝わる感触は非常に難解なものになる。また、テンションの掛り方によって、片方の分割上ピンを動かすと、もう一方の分割上ピンが別の動きをするため、両方の分割上ピンを同時にシャーラインに揃えることが非常に困難になる。さらに、鍵（キー）の抜き指しの際の上下運動によって、分割上ピンが回転し、常に一定の部位がシャーラインの外筒と内筒の内壁と接触しているものではないため、シャーラインに位置する分割上ピンがどの形状の分割上ピンであるか、またそのどの部位がかかっているかを予測することは困難であり、ピッキング感覚をさらに困難にすることができる。しかも慣れがきかないため熟練者であっても不正解錠を行うことが困難となり、結果的にピッキングなどの不正行為ができないことになる。
特に、本発明は、これまで不正解錠を阻止する特別な機能を持たせることができなかった多重素子ピン用の上ピンに、パーツを増やしたり、構造を複雑化することなく優れた不正解錠阻止機能を持たせたから、これまでにない防犯性能を持った多重素子ピン型シリンダーを提供できる。
また、多重素子ピンを用いたシリンダー錠ばかりでなく、シングルピンを用いたシリンダー錠の上ピンとして使用することにより、これまでにない耐ピッキング性能を持たせることが可能となる。
さらに当該分割上ピンのもうひとつ効果として、無理なピッキング操作や、電動ピックなどの電動工具を使用した場合など、その衝撃によって分割上ピン自体が相対する分割ピンの摺動面を離れて分解し、修復不可能な状態となり不正解錠が困難となる。
また、本発明に係る圧縮バネによれば、多重素子ピンを用いたシリンダー錠の上ピン用の圧縮バネにあって、内側と外側にそれぞれ配置された径の異なる内側端部と外側端部を備えるとともに、外側端部から折返し部まで一方向に外側バネ部を、そして折返し部から内側端部までは元の方向に次第に半径が小となるよう内側バネ部を略螺旋状に一体成型してなる圧縮バネを、外側端部は片方の上ピンに、内側端部はもう一方の上ピンに関係させてそれぞれ別々にバネ応力を掛けるようにしたから、部品を少なくして構成を簡素化でき、しかも取り扱いも容易であるなどの顕著な効果が得られる。
また、本発明に係る圧縮バネは、異なる部材に関係させてそれぞれ別々にバネ応力を掛ける必要がある場合など多用途に適用でき、しかも構成を簡素化でき、取り扱いも容易であるなどの効果が得られる。
【図面の簡単な説明】
【図１】本発明に係るシリンダー錠の機能性分割上ピンを２分割にした場合の片側の分割上ピン１の上面図である。
【図２】分割上ピン１の正面図である。
【図３】分割上ピン１のＡ−Ａ’線断面図である。
【図４】分割上ピン１の斜視図である。
【図５】本発明に係るシリンダー錠の機能性分割上ピンを２分割にした場合の対となるもう片側の分割上ピン８の上面図である。
【図６】分割上ピン８の正面図である。
【図７】分割上ピン８のＢ−Ｂ’線断面図である。
【図８】分割上ピン８の斜視図である。
【図９】分割上ピン１と分割上ピン８の各々の断面が接するように対にした状態を示す上面図である。
【図１０】分割上ピン１と分割上ピン８を上ピンとして機能させるために組合せた状態の正面図を示す。
【図１１】内筒１５に分割上ピン１と８を対にして５列挿入した時の上面図である。
【図１２】分割上ピン１と分割上ピン８から構成される機能性分割上ピンを二重素子ピンと組合せてシリンダーを組立てた説明断面図である。
【図１３】図１２のシリンダーに合鍵２７を挿入した時の説明断面図である。
【図１４】図１２のシリンダーに合鍵２７を挿入して内筒を回した時の説明断面図である。
【図１５】ピッキングによる不正解錠の行程を段階的に示した説明断面図である。
【図１６】ピッキングによる不正解錠の行程を段階的に示した説明断面図である。
【図１７】ピッキングによる不正解錠の行程を段階的に示した説明断面図である。
【図１８】ピッキングによる不正解錠の行程を段階的に示した説明断面図である。
【図１９】ピッキングによる不正解錠の行程を段階的に示した説明断面図である。
【図２０】ピッキングによる不正解錠の行程を段階的に示した説明断面図である。
【図２１】ピッキングによる不正解錠の行程を段階的に示した説明断面図である。
【図２２】電動工具などで無理な付加を掛けて不正解錠を行う行程を段階的に示した説明断面図である。
【図２３】電動工具などで無理な付加を掛けて不正解錠を行う行程を段階的に示した説明断面図である。
【図２４】電動工具などで無理な付加を掛けて不正解錠を行う行程を段階的に示した説明断面図である。
【図２５】電動工具などで無理な付加を掛けて不正解錠を行う行程を段階的に示した説明断面図である。
【図２６】分割上ピン１および分割上ピン８の各々の上面を水平に成型した分割上ピンの正面図である。ただし、上ピンとして機能させるために組合せた状態の正面図を示す。
【図２７】本発明に係るシリンダー錠の機能性分割上ピンを２分割にした場合の別の実施例を示す図である。片側の分割上ピン３０の上面図である。
【図２８】分割上ピン３０の正面図である。
【図２９】分割上ピン３０のＡ−Ａ’線断面図である。
【図３０】分割上ピン３０の斜視図である。
【図３１】分割上ピン３０と対をなす機能性分割上ピン３８の上面図である。
【図３２】分割上ピン３８の正面図である。
【図３３】分割上ピン３８のＢ−Ｂ’線断面図である。
【図３４】分割上ピン３８の斜視図である。
【図３５】分割上ピン３０と分割上ピン３８の各々の断面が接するように対にした状態を示す上面図である。
【図３６】分割上ピン３０と分割上ピン３８を上ピンとして機能させるために組合せた状態のＣ−Ｃ’線断面図である。
【図３７】二重素子ピンの各々の長さが同一で上部がフラットな場合の下ピンと図３６の分割上ピンを組合せた場合の説明断面図である。
【図３８】二重素子ピンの外側下ピンの方が内側下ピンよりも長い場合の下ピンと図３６の分割上ピンを組合せた場合の説明断面図である。
【図３９】二重素子ピンの外側下ピンの方が内側下ピンよりも短い場合の下ピンと図３６の分割上ピンを組合せた場合の説明断面図である。
【図４０】本発明に係るシリンダー錠の機能性分割上ピンを２分割にした場合のさらなる実施例を示す図である。片側の分割上ピン５０の上面図を示す。
【図４１】分割上ピン５０の正面図である。
【図４２】分割上ピン５０と対をなす機能性分割上ピン５８の上面図である。
【図４３】分割上ピン５８の正面図である。
【図４４】分割上ピン５０と分割上ピン５８の各々の断面が接するように対にした状態を示す上面図である。
【図４５】本発明に係るシリンダー錠の機能性分割上ピンを２分割にした場合のさらなる実施例を示す図である。片側の分割上ピン７０の上面図を示す。
【図４６】分割上ピン７０の正面図である。
【図４７】分割上ピン７０の斜視図である。
【図４８】分割上ピン７０と対をなす機能性分割上ピン７７の上面図である。
【図４９】分割上ピン７７の正面図である。
【図５０】分割上ピン７７の斜視図である。
【図５１】分割上ピン７０と分割上ピン７７の各々の断面が接するように対にした状態を示す上面図である。
【図５２】分割上ピン７０と分割上ピン７７の各々の断面が接するように対にした状態の斜視図である。
【図５３】分割上ピン１と分割上ピン８から構成される機能性分割上ピンをシングルピンと組合せてシリンダーを組立てた説明断面図である。
【図５４】ピッキングによる不正解錠の行程を段階的に示した説明断面図である。
【図５５】ピッキングによる不正解錠の行程を段階的に示した説明断面図である。
【図５６】圧縮バネの正面図である。
【図５７】圧縮バネの平面図である。
【図５８】図５７の圧縮バネのＡ−Ａ’線断面図である。
【図５９】外側端部を分割上ピン８に関係させた説明図である。
【図６０】内側端部は分割上ピン１に関係させた説明図である。
【図６１】本発明に係るシリンダー錠の機能性分割上ピンと圧縮バネが適用されたシリンダー錠を示す断面図である。
【符号の説明】
１　本発明に係るシリンダー錠の機能性分割上ピン
２　機能性分割上ピンの側面凹部
３　突起
４　上面部
４’　上面部
５　上部凸部
６　下部凸部
７　摺動面
８　本発明に係るシリンダー錠の機能性分割上ピン
９　機能性分割上ピンの側面凹部
１０　摺動面凹部
１１　摺動面
１２　上面部
１２’　上面部
１３　上部凸部
１４　下部凸部
１５　　内筒
１５’　内筒
１６ａ　内筒ピン穴
１６ｅ　　内筒ピン穴
２０　外筒ピン穴蓋
２１　外筒
２２　ピン穴
２２’　ピン穴
２３　圧縮バネ
２３’　圧縮バネ
２４　キー挿入孔
２４’　キー挿入孔
２５　二重素子の外側下ピン
２６　二重素子の内側下ピン（外側下ピンよりも短い）
２６’　二重素子の内側下ピン（外側下ピンと同じ長さ）
２６’’　二重素子の内側下ピン（外側下ピンよりも長い）
２７　純正キー
２８　シャーライン
２９　外筒ピン穴端部
２９’　外筒ピン穴端部
３０　本発明に係るシリンダー錠の機能性分割上ピン
３１　機能性分割上ピンの側面凹部
３２　摺動面
３３　上面部
３４　突起
３５　上部凸部
３６　下部凸部
３８　本発明に係るシリンダー錠の機能性分割上ピン
３９　機能性分割上ピンの側面凹部
４０　凹部
４１　摺動面
４２　上面部
４３　上部凸部
４４　下部凸部
５０　本発明に係るシリンダー錠の機能性分割上ピン
５１　機能性分割上ピンの側面凹部
５２　摺動面
５３　上面部
５４　突起
５５　上部凸部
５６　下部凸部
５７　底辺
５８　本発明に係るシリンダー錠の機能性分割上ピン
５９　機能性分割上ピンの側面凹部
６０　凹部
６１　摺動面
６２　上面部
６３　凹部
６４　上部凸部
６５　下部凸部
７０　本発明に係るシリンダー錠の機能性分割上ピン
７１　機能性分割上ピンの側面凹部
７２　摺動面
７３　突起
７４　上面部
７５　上部凸部
７６　下部凸部
７７　本発明に係るシリンダー錠の機能性分割上ピン
７８　機能性分割上ピンの側面凹部
７９　摺動面凹部
８０　摺動面
８１　上面部
８２　上部凸部
８３　下部凸部
９０　圧縮バネ
９０ａ　圧縮バネ内側端部
９０ｂ　圧縮バネ外側端部
９０ｃ　圧縮バネ折返し部
９０ｄ　外側バネ部
９０ｅ　内側バネ部
【図１】
2004108062.tif 000003
【図２】
2004108062.tif 000004
【図３】
2004108062.tif 000005
【図４】
2004108062.tif 000006
【図５】
2004108062.tif 000007
【図６】
2004108062.tif 000008
【図７】
2004108062.tif 000009
【図８】
2004108062.tif 000010
【図９】
2004108062.tif 000011
【図１０】
2004108062.tif 000012
【図１１】
2004108062.tif 000013
【図１２】
2004108062.tif 000014
【図１３】
2004108062.tif 000015
【図１４】
2004108062.tif 000016
【図１５】
2004108062.tif 000017
【図１６】
2004108062.tif 000018
【図１７】
2004108062.tif 000019
【図１８】
2004108062.tif 000020
【図１９】
2004108062.tif 000021
【図２０】
2004108062.tif 000022
【図２１】
2004108062.tif 000023
【図２２】
2004108062.tif 000024
【図２３】
2004108062.tif 000025
【図２４】
2004108062.tif 000026
【図２５】
2004108062.tif 000027
【図２６】
2004108062.tif 000028
【図２７】
2004108062.tif 000029
【図２８】
2004108062.tif 000030
【図２９】
2004108062.tif 000031
【図３０】
2004108062.tif 000032
【図３１】
2004108062.tif 000033
【図３２】
2004108062.tif 000034
【図３３】
2004108062.tif 000035
【図３４】
2004108062.tif 000036
【図３５】
2004108062.tif 000037
【図３６】
2004108062.tif 000038
【図３７】
2004108062.tif 000039
【図３８】
2004108062.tif 000040
【図３９】
2004108062.tif 000041
【図４０】
2004108062.tif 000042
【図４１】
2004108062.tif 000043
【図４２】
2004108062.tif 000044
【図４３】
2004108062.tif 000045
【図４４】
2004108062.tif 000046
【図４５】
2004108062.tif 000047
【図４６】
2004108062.tif 000048
【図４７】
2004108062.tif 000049
【図４８】
2004108062.tif 000050
【図４９】
2004108062.tif 000051
【図５０】
2004108062.tif 000052
【図５１】
2004108062.tif 000053
【図５２】
2004108062.tif 000054
【図５３】
2004108062.tif 000055
【図５４】
2004108062.tif 000056
【図５５】
2004108062.tif 000057
【図５６】
2004108062.tif 000058
【図５７】
2004108062.tif 000059
【図５８】
2004108062.tif 000060
【図５９】
2004108062.tif 000061
【図６０】
2004108062.tif 000062
【図６１】
2004108062.tif 000063
【手続補正書】
【提出日】平成14年10月3日(2002.10.3)
【手続補正１】
【補正対象書類名】図面
【補正対象項目名】全図
【補正方法】変更
【補正の内容】
【図１】
2004108062.tif 000064
【図２】
2004108062.tif 000065
【図３】
2004108062.tif 000066
【図４】
2004108062.tif 000067
【図５】
2004108062.tif 000068
【図６】
2004108062.tif 000069
【図７】
2004108062.tif 000070
【図８】
2004108062.tif 000071
【図９】
2004108062.tif 000072
【図１０】
2004108062.tif 000073
【図１１】
2004108062.tif 000074
【図１２】
2004108062.tif 000075
【図１３】
2004108062.tif 000076
【図１４】
2004108062.tif 000077
【図１５】
2004108062.tif 000078
【図１６】
2004108062.tif 000079
【図１７】
2004108062.tif 000080
【図１８】
2004108062.tif 000081
【図１９】
2004108062.tif 000082
【図２０】
2004108062.tif 000083
【図２１】
2004108062.tif 000084
【図２２】
2004108062.tif 000085
【図２３】
2004108062.tif 000086
【図２４】
2004108062.tif 000087
【図２５】
2004108062.tif 000088
【図２６】
2004108062.tif 000089
【図２７】
2004108062.tif 000090
【図２８】
2004108062.tif 000091
【図２９】
2004108062.tif 000092
【図３０】
2004108062.tif 000093
【図３１】
2004108062.tif 000094
【図３２】
2004108062.tif 000095
【図３３】
2004108062.tif 000096
【図３４】
2004108062.tif 000097
【図３５】
2004108062.tif 000098
【図３６】
2004108062.tif 000099
【図３７】
2004108062.tif 000100
【図３８】
2004108062.tif 000101
【図３９】
2004108062.tif 000102
【図４０】
2004108062.tif 000103
【図４１】
2004108062.tif 000104
【図４２】
2004108062.tif 000105
【図４３】
2004108062.tif 000106
【図４４】
2004108062.tif 000107
【図４５】
2004108062.tif 000108
【図４６】
2004108062.tif 000109
【図４７】
2004108062.tif 000110
【図４８】
2004108062.tif 000111
【図４９】
2004108062.tif 000112
【図５０】
2004108062.tif 000113
【図５１】
2004108062.tif 000114
【図５２】
2004108062.tif 000115
【図５３】
2004108062.tif 000116
【図５４】
2004108062.tif 000117
【図５５】
2004108062.tif 000118
【図５６】
2004108062.tif 000119
【図５７】
2004108062.tif 000120
【図５８】
2004108062.tif 000121
【図５９】
2004108062.tif 000122
【図６０】
2004108062.tif 000123
【図６１】
2004108062.tif 000124